(57)【要約】【課題】どのような撮影条件であっても、適正露出で撮影することができ、照明効果を自由に制御することができるカメラ及びカメラの増灯撮影システムを提供する。【解決手段】被写界を複数の領域に分割した分割測光領域ごとに測光値を出力する測光センサー５と、撮影距離を検出する撮影距離検出装置３とを備え、制御装置６は、主モニター発光時に測光センサー５により得られた主予備測光値と、撮影距離検出装置３により検出された撮影距離とに基づいて、複数の分割測光領域の中から本発光時に調光を行なう調光領域を選択し、主予備測光値及び増灯予備測光値に基づいて、調光領域に対する主フラッシュライト１０及び増灯フラッシュライト２０の発光量を決定する【選択図】　　　　　　　　図１
2004109770.tif 000002
【特許請求の範囲】
【請求項１】
被写体を照明する装置であって本発光に先立って主予備発光を行う主閃光発光装置と、前記主閃光発光装置とは別の位置から被写体を照明する装置であって本発光に先立って増灯予備発光を行う少なくとも１つの増灯閃光発光装置と、
を制御して増灯撮影可能なカメラであって、
被写界を複数の領域に分割した分割測光領域ごとに測光値を出力する測光手段と、
撮影距離を検出する撮影距離検出手段と、
前記主予備発光時に前記測光手段により得られた主予備測光値及び／又は前記増灯予備発光時に前記測光手段により得られた増灯予備測光値と、前記撮影距離検出手段により検出された撮影距離とに基づいて、前記複数の分割測光領域の中から前記本発光時に調光を行なう調光領域を選択する領域選択手段と、
前記主予備測光値及び前記増灯予備測光値のうちの少なくとも前記調光領域に関する測光値に基づいて、前記調光領域に対する前記主閃光発光装置及び前記増灯閃光発光装置の発光量を決定する発光量決定手段と、
を備えるカメラ。
【請求項２】
請求項１に記載のカメラにおいて、
前記領域選択手段は、前記主予備測光値及び前記撮影距離に基づいて調光領域を選択すること、
を特徴とするカメラ。
【請求項３】
請求項１又は請求項２に記載のカメラにおいて、
前記主閃光発光装置と前記増灯閃光発光装置との前記調光領域に対する照明効果の比率を設定する照明比率設定部を備え、
前記発光量決定手段は、前記照明比率設定部の設定条件に従い、前記主閃光発光装置及び前記増灯閃光発光装置の発光量を決定すること、
を特徴とするカメラ。
【請求項４】
被写体を照明する装置であって、本発光に先立って主予備発光を行う主閃光発光装置と、
前記主閃光発光装置とは別の位置から被写体を照明する装置であって、本発光に先立って増灯予備発光を行う少なくとも１つの増灯閃光発光装置と、
被写界を複数の領域に分割した分割測光領域ごとに測光値を出力する測光手段と、
撮影距離を検出する撮影距離検出手段と、
前記主予備発光時に前記測光手段により得られた主予備測光値及び／又は前記増灯予備発光時に前記測光手段により得られた増灯予備測光値と、前記撮影距離検出手段により検出された撮影距離とに基づいて、前記複数の分割測光領域の中から前記本発光時に調光を行なう調光領域を選択する領域選択手段と、
前記主予備測光値及び前記増灯予備測光値のうちの少なくとも前記調光領域に関する測光値に基づいて、前記調光領域に対する前記主閃光発光装置及び前記増灯閃光発光装置の発光量を決定する発光量決定手段と、
を備えるカメラの増灯撮影システム。
【請求項５】
請求項４に記載のカメラの増灯撮影システムにおいて、
前記領域選択手段は、前記主予備測光値及び前記撮影距離に基づいて調光領域を選択すること、
を特徴とするカメラの増灯撮影システム。
【請求項６】
請求項４又は請求項５に記載のカメラの増灯撮影システムにおいて、
前記主閃光発光装置と前記増灯閃光発光装置との前記調光領域に対する照明効果の比率を設定する照明比率設定部を備え、
前記発光量決定手段は、前記照明比率設定部の設定条件に従い、前記主閃光発光装置及び前記増灯閃光発光装置の発光量を決定すること、
を特徴とするカメラの増灯撮影システム。
【発明の詳細な説明】
【０００１】
【発明の属する技術分野】
本発明は、複数の増灯閃光発光装置を用いたカメラ及びカメラの増灯撮影システムに関するものである。
【０００２】
【従来の技術】
従来から、複数のフラッシュライト等の増灯照明光を用いて撮影を行うカメラの増灯撮影が行われている。従来の増灯撮影では、主閃光発光装置と増灯閃光発光装置を発光させながら、測光素子により閃光の測光を行い、適正値に達したら主閃光発光装置と増灯閃光発光装置の発光を停止することにより、適正露出で撮影できるように制御を行っていた（例えば、特許文献１，２参照）。
【０００３】
【特許文献１】
特公昭５８−２１７９８号公報
【特許文献２】
特開平１１−２１２１４８号公報
【０００４】
【発明が解決しようとする課題】
しかし、従来のフラッシュライトによる増灯撮影では、主要被写体が被写界のどの位置にあっても、被写界全体を対象として調光を行うので、各フラッシュライトの最適な発光量をバランスよく決定するのは困難であった。特に、主要被写体と他の被写体との距離が離れていたり、反射率が極端に異なっていたりすると、適正露出が得られない場合があった。
また、主閃光発光装置と増灯閃光発光装置とから被写体に対して照射される光量は、各閃光発光装置の能力と被写体までの距離との関係により、照射される光量の比率が決まってしまい、照明効果の比率を自由に制御することができなかった。
【０００５】
本発明の課題は、どのような撮影条件であっても、適正露出で撮影することができ、照明効果を自由に制御することができるカメラ及びカメラの増灯撮影システムを提供することである。
【０００６】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、被写体を照明する装置であって本発光に先立って主予備発光を行う主閃光発光装置（１０）と、前記主閃光発光装置とは別の位置から被写体を照明する装置であって本発光に先立って増灯予備発光を行う少なくとも１つの増灯閃光発光装置（２０）と、を制御して増灯撮影可能なカメラであって、被写界を複数の領域に分割した分割測光領域ごとに測光値を出力する測光手段（５）と、撮影距離を検出する撮影距離検出手段（３）と、前記主予備発光時に前記測光手段により得られた主予備測光値及び／又は前記増灯予備発光時に前記測光手段により得られた増灯予備測光値と、前記撮影距離検出手段により検出された撮影距離とに基づいて、前記複数の分割測光領域の中から前記本発光時に調光を行なう調光領域を選択する領域選択手段（６）と、前記主予備測光値及び前記増灯予備測光値のうちの少なくとも前記調光領域に関する測光値に基づいて、前記調光領域に対する前記主閃光発光装置及び前記増灯閃光発光装置の発光量を決定する発光量決定手段（６）と、を備えるカメラである。
【０００７】
請求項２の発明は、請求項１に記載のカメラにおいて、前記領域選択手段（６）は、前記主予備測光値及び前記撮影距離に基づいて調光領域を選択すること、を特徴とするカメラである。
【０００８】
請求項３の発明は、請求項１又は請求項２に記載のカメラにおいて、前記主閃光発光装置（１０）と前記増灯閃光発光装置（２０）との前記調光領域に対する照明効果の比率を設定する照明比率設定部（６）を備え、前記発光量決定手段（６）は、前記照明比率設定部の設定条件に従い、前記主閃光発光装置及び前記増灯閃光発光装置の発光量を決定すること、を特徴とするカメラである。
【０００９】
請求項４の発明は、被写体を照明する装置であって、本発光に先立って主予備発光を行う主閃光発光装置（１０）と、前記主閃光発光装置とは別の位置から被写体を照明する装置であって、本発光に先立って増灯予備発光を行う少なくとも１つの増灯閃光発光装置（２０）と、被写界を複数の領域に分割した分割測光領域ごとに測光値を出力する測光手段（５）と、撮影距離を検出する撮影距離検出手段（３）と、前記主予備発光時に前記測光手段により得られた主予備測光値及び／又は前記増灯予備発光時に前記測光手段により得られた増灯予備測光値と、前記撮影距離検出手段により検出された撮影距離とに基づいて、前記複数の分割測光領域の中から前記本発光時に調光を行なう調光領域を選択する領域選択手段（６）と、前記主予備測光値及び前記増灯予備測光値のうちの少なくとも前記調光領域に関する測光値に基づいて、前記調光領域に対する前記主閃光発光装置及び前記増灯閃光発光装置の発光量を決定する発光量決定手段（６）と、を備えるカメラの増灯撮影システムである。
【００１０】
請求項５の発明は、請求項４に記載のカメラの増灯撮影システムにおいて、前記領域選択手段（６）は、前記主予備測光値及び前記撮影距離に基づいて調光領域を選択すること、を特徴とするカメラの増灯撮影システムである。
【００１１】
請求項６の発明は、請求項４又は請求項５に記載のカメラの増灯撮影システムにおいて、前記主閃光発光装置（１０）と前記増灯閃光発光装置（２０）との前記調光領域に対する照明効果の比率を設定する照明比率設定部（６）を備え、前記発光量決定手段（６）は、前記照明比率設定部の設定条件に従い、前記主閃光発光装置及び前記増灯閃光発光装置の発光量を決定すること、を特徴とするカメラの増灯撮影システムである。
【００１２】
【発明の実施の形態】
以下、図面等を参照しながら、本発明の実施の形態について、更に詳しく説明する。
図１は、本発明によるカメラの実施形態の構成を示す図である。
本実施形態におけるカメラは、絞り２及び距離検出装置３を含む撮影レンズ１、クイックリターンミラー４、測光センサー５、制御装置６等を備え、主フラッシュライト１０及び増灯フラッシュライト２０を制御可能なカメラである。
距離検出装置３は、エンコーダ等で構成された撮影距離検出手段であり、撮影レンズ１の合焦時のレンズ位置をエンコーダにより検出し、撮影距離を検出する装置である。
測光センサー５は、撮影レンズ１を通した被写界を複数の領域に分割した分割測光領域ごとに測光値を出力する測光手段である。
図２は、測光センサー５を用いた撮影画面の測光領域を示す図である。
測光センサー５は、被写界を領域５１〜５５に分割し、それぞれの領域毎の光量を測光し、制御装置６に伝える。
制御装置６は、マイクロプロセッサからなり、カメラの各種制御を行う部分であり、本実施形態では、領域選択手段、発光量決定手段、及び、照明比率設定部の役割を果たしている。
【００１３】
主フラッシュライト１０は、主発光管制御装置１１と主発光管１２とを有した主閃光発光装置であり、本実施形態では、カメラに直接接続されている。なお、本実施形態では、主フラッシュライト１０は、カメラに対して着脱自在な別ユニットであるが、予めカメラに設けられているフラッシュライトでもよい。
増灯フラッシュライト２０は、増灯発光管制御装置２１と増灯発光管２２とを有した増灯閃光発光装置であり、本実施形態では、増灯ケーブル１１を介してカメラと接続されており、主フラッシュライト１０とは別の位置から被写体を照明する。なお、増灯フラッシュライト２０は、増灯ケーブル１１を介してカメラと接続せずに、ワイヤレス制御とすることもできる。
【００１４】
次に、本実施形態におけるカメラの動作について説明する。
図３は、本実施形態におけるカメラの動作を示すフローチャートである。なお、特に示さない限り、図３に示す動作は、制御装置６の制御により行われ、各種演算は、制御装置６が実行する。
不図示のシャッターレリーズボタンの押下により撮影動作が開始されると以下のステップ（以下、Ｓとする）が実行される。
Ｓ１では、測光センサー５の５つの領域５１〜５５における定常光成分ａ１１〜ａ１５の測定と保存、及び、撮影距離Ｄの取得を行う。
Ｓ２では、測光センサー５により主フラッシュライト１０の主モニター発光の測光を開始する。
Ｓ３では、主フラッシュライト１０の主モニター発光（主予備発光）を行う。この主フラッシュライト１０の主モニター発光では、主発光管１２を所定の小さな発光量のガイドナンバーｐ１で発光させる。このガイドナンバーｐ１は、カメラ側から指定するか、又は、主フラッシュライト１０側であらかじめ設定された値をカメラ側に伝達するようにする。
【００１５】
Ｓ４では、主モニター発光の測光完了とともに測光センサー５の５領域の一時的な測光値（主予備測光値）ｔ１１〜ｔ１５の取得を行う。
Ｓ５では、以下の数１に示すように、測光値ｔ１１〜ｔ１５から定常光成分ａ１１〜ａ１５を引くことにより、純粋な主フラッシュライト１０の主モニター発光での５個の領域の反射光量ｂ１１〜ｂ１５を演算する。
【００１６】
【数１】
2004109770.tif 000003
【００１７】
Ｓ６では、主モニター発光のガイドナンバーｐ１と、被写体距離Ｄと、撮影レンズのＦ値と、測光した反射光量ｂ１１〜ｂ１５とから、以下の数２に示すようにして、各被写体領域の反射率ｒ１〜ｒ５の演算を行う。なお、ｋ１〜ｋ５は、各領域の調整値である。
【００１８】
【数２】
2004109770.tif 000004
【００１９】
Ｓ７では、Ｓ６で求めた反射率ｒ１〜ｒ５より調光対象領域を決定する。具体的には、各領域の反射率ｒ１〜ｒ５が標準反射被写体とする１８％より外れた異常反射領域を除外した調光対象領域を決定する。本実施形態では、標準反射率１８％の０．５倍の９％から２倍の３６％までの反射率の領域を調光対象領域とする。
【００２０】
Ｓ８では、Ｓ７で決定した調光対象領域に対する主フラッシュライト１０の暫定発光ガイドナンバーｔｇｎ１の演算を行う。
例えば調光対象領域が領域５１ならば、以下の数３により演算を行う。なお、ここで、ｂｊは、目標測光値である。
【００２１】
【数３】
2004109770.tif 000005
【００２２】
また、調光対象領域が複数ある場合は、調光対象領域の平均値ｂｍを採用し、以下の数４により演算を行う。
【００２３】
【数４】
2004109770.tif 000006
【００２４】
例えば、領域５１、５２、５３が調光対象領域と判定されたら、以下に示す数５のようになる。
【００２５】
【数５】
2004109770.tif 000007
【００２６】
Ｓ９では、増灯フラッシュライト２０の増灯モニター発光の測光を開始する。
Ｓ１０では、増灯フラッシュライト２０の増灯モニター発光（増灯予備発光）を行う。この増灯モニター発光では、増灯発光管２２を所定の小さな発光量のガイドナンバーｐ２で発光させる。
Ｓ１１では、増灯モニター発光の測光を完了すると共に、測光センサー５の５領域の一時的な測光値（増灯予備測光値）ｔ２１〜ｔ２５を取得する。
Ｓ１２では、以下の数６に示すように、測光値ｔ２１〜ｔ２５から定常光成分ａ２１〜ａ２５を引くことにより純粋な増灯モニター発光での５個の領域の増灯フラッシュライト２０の反射光量ｂ２１〜ｂ２５を得る。なお、主モニター発光を行うＳ３と増灯モニター発光を行うＳ９との間隔は、きわめて短い時間間隔で行われるので、本実施形態では、定常光成分ａ２１〜ａ２５を新たに測定せずに、既に測定している定常光成分ａ１１〜ａ１５を定常光成分ａ２１〜ａ２５とみなして演算を行う。
【００２７】
【数６】
2004109770.tif 000008
【００２８】
Ｓ１３では、Ｓ７で決定した調光対象領域に対する増灯フラッシュライトの暫定発光ガイドナンバーｔｇｎ２の演算を行う。
例えば調光対象領域が領域５１ならば、以下の数７により演算を行う。
【００２９】
【数７】
2004109770.tif 000009
【００３０】
また、調光対象領域が複数ある場合は、調光対象領域の平均値ｂｍを採用し、以下の数８により演算を行う。
【００３１】
【数８】
2004109770.tif 000010
【００３２】
例えば領域５１、５２、５３が調光対象領域と判定されたら、以下の数９のようになる。
【００３３】
【数９】
2004109770.tif 000011
【００３４】
Ｓ１４では、撮影時の主フラッシュライト１０の発光ガイドナンバーｇｎ１と増灯フラッシュライトのガイドナンバーｇｎ２の発光量演算を行う。本実施形態では、調光対象領域に対して主フラッシュライト１０と増灯フラッシュライト２０の照明効果が同程度となるように発光量を決定する。すなわち、暫定ガイドナンバーの光量をそれぞれ半分として発光を行う。暫定ガイドナンバーを√（０．５）倍＝約０．７倍することで発光量が半分になるので、以下の数１０により、ｇｎ１，ｇｎ２を演算する。
【００３５】
【数１０】
2004109770.tif 000012
【００３６】
また、本実施形態では、不図示の操作部材などを用いて、撮影者が主フラッシュライト１０と増灯フラッシュライト２０の効果の比率を設定できるようになっている。この設定内容は、制御装置６に記憶され、その場合には、上述の数１０によらずに、設定した比率により発光するように、ｇｎ１，ｇｎ２を演算する。
例えば、主フラッシュライト１０を７０％、増灯フラッシュライト２０を３０％の比率で発光させるように設定された場合は、以下に示す数１１により、ｇｎ１，ｇｎ２を演算する。
【００３７】
【数１１】
2004109770.tif 000013
【００３８】
Ｓ１５では、シャッターを開く。
Ｓ１６では、Ｓ１４で求めたガイドナンバーに従い、本発光を行う。すなわち、主フラッシュライト１０は、ガイドナンバーｇｎ１で発光し、増灯フラッシュライト２０は、ガイドナンバーｇｎ２で発光を行う。
Ｓ１７では、シャッターを閉じて増灯撮影を終了する。
【００３９】
本実施形態によれば、主モニター発光により得られた測光値、距離検出装置３により得られた撮影距離から、調光対象領域を決定し、調光対象領域が適正露光されるように主フラッシュライト１０及び主フラッシュライト２０の発光量を制御するので、主要被写体と他の被写体との距離が離れていたり、反射率が極端に異なっていたりしても、常に適正露出で増灯撮影をすることができる。
また、主フラッシュライト１０及び主フラッシュライト２０の発光量を個別に制御するので設定手段により、照明効果の比率を自由に制御することができる。
【００４０】
（変形形態）
以上説明した実施形態に限定されることなく、種々の変形や変更が可能であって、それらも本発明の均等の範囲内である。
例えば、本実施形態において、調光対象領域の決定は、主モニター発光により得られた測光値を用いて行う例を示したが、これに限らず、例えば、増灯モニター発光により得られた測光値も考慮して調光対象領域を決定してもよい。
【００４１】
【発明の効果】
以上詳しく説明したように、本発明によれば、以下の効果を奏することができる。
（１）主予備測光値及び／又は増灯予備測光値と、撮影距離とに基づいて、本発光時に調光を行なう調光領域を選択する領域選択手段と、少なくとも調光領域に関する測光値に基づいて、調光領域に対する主閃光発光装置及び増灯閃光発光装置の発光量を決定する発光量決定手段とを備えるので、被写界内において主要被写体のある調光領域に対して、主閃光発光装置及び増灯閃光発光装置のいずれも最適な発光量で閃光発光を行うことができ、自動的に適正露出で撮影することができる。
【００４２】
（２）領域選択手段は、主予備測光値及び撮影距離に基づいて調光領域を選択するので、より正確に調光領域を選択することができる。
【００４３】
（３）発光量決定手段は、照明比率設定部の設定条件に従い、主閃光発光装置及び増灯閃光発光装置の発光量を決定するので、照明効果を自由に制御することができる。
【図面の簡単な説明】
【図１】本発明によるカメラの実施形態の構成を示す図である。
【図２】測光センサー５を用いた撮影画面の測光領域を示す図である。
【図３】本実施形態におけるカメラの動作を示すフローチャートである。
【符号の説明】
１　撮影レンズ
２　絞り
３　距離検出装置
４　クイックリターンミラー
５　測光センサー
６　制御装置
１０　主フラッシュライト
１１　主発光管制御装置
１２　主発光管
２０　増灯フラッシュライト
２１　増灯発光管制御装置
２２　増灯発光管
【図１】
2004109770.tif 000014
【図２】
2004109770.tif 000015
【図３】
2004109770.tif 000016